(57)【要約】【課題】医療輸液コネクターを提供する。【解決手段】従来の医療輸液コネクターは、液体がスリットの中に流れることで、流量を増加できないという問題が生じる。本発明は筒状の形をして一方の端部が閉じた端部になる弾性体を備える医療輸液コネクターを提供する。弾性体の管壁には貫通孔を設けることにより、筒状弾性体の内腔に通じて輸液することができる。本発明による医療輸液コネクターは、流量を増加することができ、液体の大量注入に適すことである。【選択図】  図１
2018083051.tif 000002
【特許請求の範囲】
【請求項１】
収容部、可動部及び弾性体を備え、
前記収容部は、環状壁部、第一チューブ及び第二チューブを有し、前記環状壁部はあるところには半径方向内側に延びる第一側壁部を形成して前記第一チューブとを着接し、前記環状壁部の一方の端部は半径方向内側に延びる第二側壁部に形成して前記第二チューブとを着接し、前記第一チューブは一方の端部から前記第一側壁部に突出してノズルを有し、前記第一チューブの最小内径位置は前記ノズルとなっており、前記第一側壁部は少なくとも一つの第一制限ストッパーを設け、
前記可動部は、係合となるベースと少なくとも一つの突出部を有し、前記ベースは前記収容部の中に置いて第二制限ストッパーを設け、前記突出部は前記第一制限ストッパーを取り抜けて前記収容部へ外向きに突出し、
前記弾性体はそれぞれ中空円筒状のような第一周壁と第二周壁を有し、前記第一周壁は少なくとも一つの貫通孔を有し、一方の端部が閉じた端部になり、他方の端部が径方向外側に延びさせて前記第二周壁と接続する連接部を形成し、前記第二周壁の自由端は前記第二側壁部に当接し、前記第一周壁と前記第二周壁と共に取り囲まれる空洞部を形成して前記第二チューブとを継合し、前記第一周壁は前記第二制限ストッパーを通り抜けて前記第一チューブの中に配置され、前記閉じた端部は移動が可能で前記ノズルを密封し、前記連接部が前記ベースを当接し、
前記可動部が前記第一側壁部から前記第二側壁部への方向に移動されて前記第二周壁を圧縮することにより、前記閉じた端部を前記ノズルから離れることは開いた状態と呼ばれ、前記ノズル、前記貫通孔、前記空洞部及び前記第二チューブが前記開いた状態において連通することを特徴とする医療輸液コネクター。
【請求項２】
前記第一チューブの内径は前記ノズルから前記第一側壁部への方向に増やし、前記第一周壁の外径は前記第一チューブの内径に従って増やすことを特徴とする請求項１に記載の医療輸液コネクター。
【請求項３】
前記閉じた端部は前記ノズルを密封したとたんに、前記第一チューブが前記貫通孔を密封することを特徴とする請求項１に記載の医療輸液コネクター。
【請求項４】
前記第二周壁の内径は前記第一周壁の内径より長いことを特徴とする請求項１に記載の医療輸液コネクター。
【請求項５】
前記突出部と前記第一側壁部の間の垂直距離は、前記第一チューブの自由端と前記第一側壁部の間の垂直距離より短いことを特徴とする請求項１に記載の医療輸液コネクター。
【請求項６】
前記ベースは前記第二側壁部への方向に向けて突出し、前記第二周壁の外に取設する第一フランジを更に含むことを特徴とする請求項１に記載の医療輸液コネクター。
【請求項７】
前記第二側壁部は前記第一側壁部への方向に向けて突出する二つの第二フランジを更に有し、前記二つの第二フランジは前記第二周壁の自由端を挟装することを特徴とする請求項１に記載の医療輸液コネクター。
【請求項８】
前記第一周壁の外壁面で前記貫通孔と前記連接部の間に配置する第三フランジを更に有し、前記第三フランジが前記開いた状態における前記第一チューブの内壁面に圧接することを特徴とする請求項１に記載の医療輸液コネクター。
【請求項９】
前記第一チューブの内壁面は第四フランジを更に有し、前記第四フランジが前記開いた状態における前記貫通孔と前記連接部の間に圧接することを特徴とする請求項１に記載の医療輸液コネクター。
【発明の詳細な説明】
【技術分野】
【０００１】
本発明は、医療器材、特に医療輸液コネクターに関するものである。
【背景技術】
【０００２】
従来の医療処置は常に様々な輸液パイプを利用して、患者に薬剤の投与、採血、点滴静脈注射などの液体の吸引や注入ことをする。ユーザーが簡単に操作するため、多くの場合は留置チューブを用いて、留置チューブの一端が患者の静脈に接続され、他端が安全輸液メスコネクターを配置する。安全輸液メスコネクターは従来のシリンシジ先端部によって押圧されて開弁する際、薬剤を加えや採血をすることができる。鋭い針先の刺入は必要ないし、セキュリティ向上が見込まれるから、近年、多くの医療機関で採用される。
【０００３】
但し、従来のシリンジの内容物は外部に漏れ出して汚染する場合、医療関係者や患者には依然として危険性があり、例えば、放射性医薬品や感染性物質を含む体液、または皮膚に有害性とされる腫瘍標的薬など。故に、漏れ防止機能付きオスコネクターを開発することは必要である。
【０００４】
特許文献1により提示された従来の医療輸液コネクターは、ガイドバーを含めるチューブ及び移動部材を有し、ガイドバーとチューブの間にはスリットを設けられ、移動部材が移動すると、スリットは導通されて輸液を行うことができる。
【０００５】
上述の従来の医療輸液コネクターは、単なるガイドバーとチューブの間に配置するスリットをチャネルとして、その上スリットの長さはかなり長くて単位時間当たりに流れを大幅に減少させ、大量輸液の場合は非常に時間がかかることになる。
【０００６】
上述したことにより、従来の医療輸液コネクターはまだ改善が必要である。
【先行技術文献】
【特許文献】
【０００７】
【特許文献１】台湾特許第Ｉ５３７０２０号公報
【発明の概要】
【発明が解決しようとする課題】
【０００８】
本発明は、大量輸液が可能である医療輸液コネクターを提供することを主な目的とする。
【課題を解決するための手段】
【０００９】
上述の目的を達成するため、本発明は収容部、可動部及び弾性体を備える医療輸液コネクターを提供する。収容部は環状壁部と、第一チューブ及び第二チューブを有し、環状壁部があるところには半径方向内側に延びる第一側壁部に形成し、第一チューブとを着接する。環状壁部の一方の端部は半径方向へ内側に延びる第二側壁部を形成して第二チューブとを着接する。第一チューブは一方の端部から第一側壁部に突出することになってノズルを有する。第一チューブの最小内径位置はノズルとなる。第一側壁部は少なくとも一つの第一制限ストッパーを設ける。可動部は係合となるベース及び少なくとも一つの突出部を有し、ベースは収容部の中に置いて第二制限ストッパーを設ける。突出部は第一制限ストッパーを取り抜けて収容部へ外向きに突出する。弾性体はそれぞれ中空円筒状のような第一周壁と第二周壁を有する。第一周壁は少なくとも一つの貫通孔を有し、一方の端部が閉じた端部になり、他方の端部が径方向外側に延びさせて第二周壁と接続する連接部を形成する。第二周壁の自由端は第二側壁部に当接し、空洞部は第一周壁と第二周壁と共に取り囲まれて形成し、第二チューブとを継合する。第一周壁は第二制限ストッパーを通り抜けて第一チューブの中に配置する。閉じた端部は移動が可能でノズルを密封し、連接部がベースを当接する。可動部は第一側壁部から第二側壁部への方向に移動されて第二周壁を圧縮することにより、閉じた端部をノズルから離れることができる。この状態は開いた状態と呼ばれ、ノズル、貫通孔、空洞部及び第二チューブが開いた状態において連通することになる。
【００１０】
第一チューブの内径はノズルから第一側壁部への方向に増やし、第一周壁の外径は第一チューブの内径に従って増やす医療輸液コネクターを提供する。
【００１１】
閉じた端部はノズルを密封したとたんに、第一チューブが貫通孔を密封する医療輸液コネクターを提供する。
【００１２】
第二周壁の内径は第一周壁の内径より長いである医療輸液コネクターを提供する。
【００１３】
突出部と第一側壁部の間の垂直距離は、第一チューブの自由端と第一側壁部の間の垂直距離より短いである医療輸液コネクターを提供する。
【００１４】
ベースは第二側壁部への方向に向けて突出し、第二周壁の外に取設する第一フランジを更に有する医療輸液コネクターを提供する。
【００１５】
第二側壁部は第一側壁部への方向に向けて突出する二つの第二フランジを有し、二つの第二フランジは第二周壁の自由端を挟装することを更に有する医療輸液コネクターを提供する。
【００１６】
第一周壁の外壁面で貫通孔と連接部の間に配置する第三フランジを有し、第三フランジが開いた状態における第一チューブの内壁面に圧接することを更に有する医療輸液コネクターを提供する。
【００１７】
第一チューブの内壁面は第四フランジを有し、第四フランジが開いた状態における貫通孔と連接部の間に圧接することを更に有する医療輸液コネクターを提供する。
【００１８】
上述した構造により、閉じた端部にノズルが漏れないし、しかも第一周壁と第二周壁に囲まれて形成した空洞部が輸液バルブとされ、流れを増加させない問題を解決し、液体の大量注入に適すことである。
【００１９】
本発明による医療輸液コネクターの詳細な特徴は、以下の詳細な説明を通して明確にする。また、以下の詳細な説明および本発明により提示された実施形態は本発明を説明するための一例に過ぎず、本発明の請求範囲を限定できないことは、本発明にかかわる領域において常識がある人ならば理解できるはずである。
【図面の簡単な説明】
【００２０】
【図１】本発明の第１実施形態による医療輸液コネクターを示す分解斜視図である。
【図２】本発明の第１実施形態による医療輸液コネクターを示す斜視図である。
【図３】本発明の第１実施形態による医療輸液コネクターを示す俯瞰図である。
【図４】本発明の第１実施形態による医療輸液コネクターを示す部分的な側面図である。
【図５】図４中の5-5線に沿った断面図である。
【図６】本発明の図５による医療輸液コネクターの流れ状態を示す断面図である。
【図７】本発明の第２実施形態による医療輸液コネクターを示す部分拡大図である。
【図８】本発明の第３実施形態による医療輸液コネクターを示す部分拡大図である。
【発明を実施するための形態】
【００２１】
（第１実施形態）
図１から図５に示すように、本発明の第１実施形態による医療輸液コネクター１０は、収容部２０、可動部３０、弾性体４０を含める。
【００２２】
収容部２０は環状壁部２２、第一チューブ２４及び第二チューブ２６を備える。図１と図５に示すように、環状壁部２２はあるところには半径方向内側に延びる第一側壁部２１に形成して第一チューブ２４とを着接する。環状壁部２２は一方の端部が半径方向内側に延びる第二側壁部２３に形成して第二チューブ２６とを着接し、他の素子と連接されない一方の端部が自由端である。図３と図６に示すように、第一チューブ２４には第一側壁部２１より突出される自由端２４１はノズル２５を有し、第一チューブ２４の最小内径位置はノズルとなり、第一側壁部２１は二つの第一制限ストッパー２７を設ける。内外及び上下に要素間の関係を明らかにするため、図１に第二側壁部２３や環状壁部２２とは別個に示されている。第一チューブ２４の自由端２４１は、ルアー（luer）仕様に合わせるオスコネクターである。
【００２３】
解説の都合上、第一チューブ２４の中心部は第二チューブ２６の中心部と共に仮想線Lを引き、この仮想線Lに平行になる方向は軸方向と呼ばれ、軸方向に直交する方向は径方向である。
【００２４】
可動部３０はベース３２及び二つの突出部３４を有し、ベース３２は収容部２０に置いて第二制限ストッパー３６を設ける。突出部３４はそれぞれ収容部２０への方向に外向きに突出するように、第一制限ストッパー２７を通り抜ける。突出部３４の自由端３４１は径方向の平面に円弧状をなることである。
【００２５】
弾性体４０はそれぞれ中空円筒状のような囲む第一周壁４２と第二周壁４４を有する。第一周壁４２は一方の端部が閉じた端部４２１になり、他方の端部が径方向外側に延びさせて第二周壁４４と接続する連接部４８を形成する。第二周壁４４の自由端４４１は第二側壁部２３に当接し、空洞部４９は第一周壁４２と第二周壁４４を囲まれて形成し、第二チューブ２６とを継合する。第一周壁４２は二つの貫通孔４６を有する。第一周壁４２は第二制限ストッパー３６を通り抜けて第一チューブ２４の中に配置し、連接部４８がベース３２を当接する。閉じた端部４２１はノズル２５を密封したとたんに、弾性体４０が図５に示すように閉状態であり、ノズル２５から離れると、弾性体４０が図６に示すように開いた状態である。弾性体４０は外部の力によって、閉状態と開いた状態との間で切り替えることであり、閉じた端部４２１が移動可能でノズル２５を密封することができる。
【００２６】
輸液が行わないとき、図５に示すように、弾性体４０が閉状態となる。輸液が行う場合、図６に示すように、第一チューブ２４は別の継ぎ手を押しこむことで、突出部３４の自由端３４１は軸方向に押されて可動部３０を第一側壁部２１から第二側壁部２３への方向に移動させる。そして、連接部４８は可動部３０のベース３２で押動されて第二周壁４４を圧縮することにより、閉じた端部４２１をノズル２５から離れることができ、弾性体４０が開いた状態になり、このとき、ノズル２５、貫通孔４６、空洞部４９及び第二チューブ２６が連通し、液体が空洞部４９に出入りされて輸液することができる。輸液が終わりたい場合は、別の継ぎ手が第一チューブ２４から取り外すと、可動部３０はもはや押圧されなくなるし、第二周壁４４は元の形に戻れることにより、閉じた端部４２１は再びノズル２５に立ち返して密封することになり、漏れ防止効果を得ることができる。
【００２７】
本発明に係る医療輸液コネクター１０は、着接されないときには、漏れ防止のため、閉じた端部４２１がノズル２５を密封し、着接するとき、液体がスリットの中ではなく、空洞部４９の中に流れ、単位時間当たりの流量が増加させるから、本発明の医療輸液コネクターは液体の大量注入に適すことである。なお、空気が入って塞栓症を引き起こすことを避けるために、空洞部４９には液体が予め満たされ、空気を抜くこともある。
【００２８】
ちなみに、第一制限ストッパー２７は突出部３４が通り抜けて軸方向のみ上下往復に移動することを制限するように設けられるので、互いに対応する一つの第一制限ストッパー２７と一つの突出部３４だけでも可能である。ただ一つの貫通孔４６は液体が空洞部４９の内側および外側に流されるが、二つの貫通孔４６においては液体の流れをよりスムーズになる。
【００２９】
漏れ防止効果がもっと高まるため、第一チューブ２４はテーパ状の形をする。図４と図５に示すように、第一チューブ２４の内径はノズル２５から第一側壁部２１への方向に増やし、第一周壁４２の外径は第一チューブ２４の内径に従って増やすことにより、閉じた端部４２１がノズル２５を密封する場合には、第一周壁４２の外壁面が第一チューブ２４の内壁面に覆われ、貫通孔４６が第一チューブ２４の内壁面に密封されることになる。本発明の別の実施形態において、第一チューブ２４は別の方法で貫通孔４６を密封することができる。例えば、第一チューブ２４は貫通孔４６に対応する場所で内側に向けるブロックを備える。
【００３０】
単位時間当たりの流量を増加させるため、第二周壁４４の内径は第一周壁４２の内径より大きくなるによって、空洞部４９はさらに拡張させ、流れやすいし、より速い注入速度を提供することが可能である。
【００３１】
本発明の医療輸液コネクター１０及び別の継ぎ手が順次開放可能となるように、突出部３４と第一側壁部２１の間の垂直距離は第一チューブ２４の自由端２４１と第一側壁部２１の間の垂直距離より短いである。それで、係合するときに、第一チューブ２４の自由端２４１が最初に別の継ぎ手のバルブを押し開き、その後、突出部３４が別の継ぎ手の管壁によって押動されることになる。
【００３２】
可動部３０によって、第二周壁４４をより効率的に押し付けるため、ベース３２は第二側壁部２３への方向に向けて突出する第一フランジ３２１を更に含む。第一フランジ３２１は第二周壁４４を取設し、ベース３２と連接部４８との接触を高めることができる。
【００３３】
弾性体４０をより安定であるため、第二側壁部２３は第一側壁部２１への方向に向けて突出する二つの第二フランジ２３１を更に含む。第二周壁４４は自由端４４１が二つの第二フランジ２３１の間に挟着されることにより、押圧されるときに径方向への移動が縛りられることになる。
【００３４】
本実施形態においての貫通孔４６の位置は液体の流れをよりスムーズにするため設置され、別の実施形態には他の形態になっても実施できる。
【００３５】
（第2実施形態）
図７に示すように、本発明の第２実施形態による医療輸液コネクター５０が開いた状態になる時、良い漏れ防止効果を得るため、第一周壁５２の外壁面に第一チューブ６４への方向に外向きに突出する第三フランジ５２２を更に周設し、第三フランジ５２２は貫通孔５６と接続部（図中未表示）の間に挟着され、開いた状態に第一チューブ６４の内壁面に圧着し、第一チューブ６４と第一周壁５２の間に存在し得る隙間を密封する医療輸液コネクター５０を提供する。
【００３６】
（第３実施形態）
図８に示すように、本発明の第３実施形態による医療輸液コネクター８０が開いた状態になる時、より漏れ防止効果を得るため、第一チューブ８４の内壁面に第一周壁８２への方向に外向きに突出する第四フランジ８４２を更に周設し、第四フランジ８４２は開いた状態に貫通孔８６と接続部（図中未表示）の間に圧着し、第一チューブ８４と第一周壁８２の間に存在し得る隙間を密封する医療輸液コネクター８０を提供する。
【００３７】
上記の図示および記載された詳細な説明は、本発明の技術内容および特徴を説明した実施形態を提供するものであり、本発明にかかわる領域において常識がある人ならば、本発明の範囲及び趣旨を逸脱することなく、種々の変形例、修正及び変更を加えることが下記に示す請求の範囲に属することが理解できるはずである。
【符号の説明】
【００３８】
１０、５０、８０：医療輸液コネクター
２０：収容部            ２１：第一側壁部
２２：環状壁部        ２３：第二側壁部
２３１：第二フランジ        ２４、６４、８４：第一チューブ
２４１：自由端        ２５：ノズル
２６：第二チューブ        ２７：第一制限ストッパー
３０：可動部            ３２：ベース
３２１：第一フランジ        ３４：突出部
３４１：自由端        ３６：第一制限ストッパー
４０：弾性体            ４２、５２、８２：第一周壁
４２１：閉じた端部        ４４：第二周壁
４４１：自由端        ４６、５６、８６：貫通孔
４８：連接部            ４９：空洞部
５２２：第三フランジ        ８４２：第四フランジ
【図１】
2018083051.tif 000003
【図２】
2018083051.tif 000004
【図３】
2018083051.tif 000005
【図４】
2018083051.tif 000006
【図５】
2018083051.tif 000007
【図６】
2018083051.tif 000008
【図７】
2018083051.tif 000009
【図８】
2018083051.tif 000010
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
収容部、可動部及び弾性体を備え、
前記収容部は、環状壁部、第一チューブ及び第二チューブを有し、前記環状壁部はあるところには半径方向内側に延びる第一側壁部を形成して前記第一チューブと着接し、前記環状壁部の一方の端部は半径方向内側に延びる第二側壁部を形成して前記第二チューブと着接し、前記第一チューブの一方の端部は前記第一側壁部より突出するノズルを有し、前記第一チューブの最小内径位置は前記ノズルとなっており、前記第一側壁部は少なくとも一つの第一制限ストッパーを設け、
前記可動部は、係合となるベースと少なくとも一つの突出部を有し、前記ベースは前記収容部の中に置いて第二制限ストッパーを設け、前記突出部は前記第一制限ストッパーを通り抜けて前記収容部から外向きに突出し、
前記弾性体はそれぞれ中空円筒状のような第一周壁と第二周壁を有し、前記第一周壁は少なくとも一つの貫通孔を有し、一方の端部が閉じた端部になり、他方の端部が径方向外側に延びて前記第二周壁と接続する連接部を形成し、前記第二周壁の自由端は前記第二側壁部に当接し、空洞部は前記第一周壁と前記第二周壁と共に取り囲まれて形成され前記第二チューブと継合し、前記第一周壁は前記第二制限ストッパーを通り抜けて前記第一チューブの中に配置され、前記閉じた端部は移動が可能で前記ノズルを密封し、前記連接部が前記ベースに当接し、
前記可動部が前記第一側壁部から前記第二側壁部の方向に移動して前記第二周壁を圧縮することにより前記閉じた端部が前記ノズルから離れることは開いた状態と呼ばれ、前記ノズル、前記貫通孔、前記空洞部及び前記第二チューブは前記開いた状態において連通し、
前記第一チューブの内径は前記ノズルから前記第一側壁部の方向に一定の割合で増加し、前記第一周壁の外径は前記第一チューブの内径に合わせて一定の割合で増加し、
前記閉じた端部が前記ノズルを密封すると、前記第一チューブが前記貫通孔を密封することを特徴とする医療輸液コネクター。
【請求項２】
前記第二周壁の内径は前記第一周壁の内径より長いことを特徴とする請求項１に記載の医療輸液コネクター。
【請求項３】
前記突出部と前記第一側壁部の間の垂直距離は、前記第一チューブの自由端と前記第一側壁部の間の垂直距離より短いことを特徴とする請求項１に記載の医療輸液コネクター。
【請求項４】
前記ベースは前記第二側壁部の方向に向けて突出し、前記第二周壁の外に取設する第一フランジを更に含むことを特徴とする請求項１に記載の医療輸液コネクター。
【請求項５】
前記第二側壁部は前記第一側壁部の方向に向けて突出する二つの第二フランジを更に有し、前記二つの第二フランジは前記第二周壁の自由端を挟装することを特徴とする請求項１に記載の医療輸液コネクター。
【請求項６】
前記第一周壁の外壁面で前記貫通孔と前記連接部の間に配置する第三フランジを更に有し、前記第三フランジが前記開いた状態における前記第一チューブの内壁面に圧接することを特徴とする請求項１に記載の医療輸液コネクター。
【請求項７】
前記第一チューブの内壁面は第四フランジを更に有し、前記第四フランジが前記開いた状態における前記貫通孔と前記連接部の間に圧接することを特徴とする請求項１に記載の医療輸液コネクター。